(57)【要約】【課題】  ハンドオフ発生時においてサービスを断絶させることなくサービス提供を続行させることができる無線通信端末を提供する。【解決手段】  ブロードキャスト／マルチキャスト・サービスのコンテンツを要求する要求手段と、要求手段が要求したコンテンツの情報を記憶する記憶手段と、ハンドオフが実行されると、ハンドオフ先の基地局に対して記憶手段が記憶しているコンテンツの情報に基づくコンテンツを要求するように制御する制御手段とを備える。【選択図】    図１
2006339820.tif 000002
【特許請求の範囲】
【請求項１】
ブロードキャスト／マルチキャスト・サービスのコンテンツを要求する要求手段と、
前記要求手段が要求したコンテンツの情報を記憶する記憶手段と、
ハンドオフが実行されると、ハンドオフ先の基地局に対して前記記憶手段が記憶しているコンテンツの情報に基づくコンテンツを要求するように制御する制御手段と
を備えたことを特徴とする無線通信端末。
【請求項２】
前記制御手段は、ハンドオフ先の基地局から前記記憶手段が記憶しているコンテンツの情報に一致するコンテンツ識別情報を取得して、該取得したコンテンツ識別情報によりコンテンツを要求するように制御することを特徴とする請求項１に記載の無線通信端末。
【請求項３】
前記記憶手段は、ハンドオフ前の基地局から取得して前記要求手段が要求したコンテンツのコンテンツ識別情報を記憶し、
前記制御手段は、ハンドオフが実行されると、ハンドオフ先の基地局に対して前記記憶手段が記憶しているコンテンツ識別情報によりコンテンツを要求するように制御することを特徴とする請求項１に記載の無線通信端末。
【請求項４】
前記制御手段は、ハンドオフ先の基地局に対して前記記憶手段が記憶しているコンテンツ識別情報によりコンテンツを要求した後、当該コンテンツ識別情報が前記ハンドオフ先の基地局において有効でない場合、前記ハンドオフ先の基地局から前記記憶手段が記憶しているコンテンツの情報に一致するコンテンツ識別情報を取得して、該取得したコンテンツ識別情報によりコンテンツを要求するように制御することを特徴とする請求項３に記載の無線通信端末。
【発明の詳細な説明】
【技術分野】
【０００１】
本発明は、ブロードキャスト／マルチキャストサービスに対応した無線通信システムで使用する無線通信端末に関する。
【背景技術】
【０００２】
無線通信が提供されているエリア内を自由に移動し通信を行う移動体通信において、無線通信端末が一つの無線基地局がカバーできるエリアを越え、隣接する異なる無線基地局のエリアや他のセクタに移動した場合でも通信を継続させる技術にハンドオフがある。このハンドオフを行う方法としては、個々の無線基地局が電波強度測定用に一定の電波強度で特定の測定用信号を送出し、無線通信端末がこの信号を受信して、接続する無線基地局を切り替えるというものがある。この方式は、無線回線の受信状態を一定の状態で保つことができるため、通信回線の維持として重要な技術である。例えば、ＩＳ９５方式におけるハンドオフについては特許文献１に記載されている。
【０００３】
一方、無線回線の有効利用の観点から、ＢＣＭＣＳ（Broadcast Multicast Service）と呼ばれる無線上のサービスが提案されている。これはブロードキャストチャネルと呼ばれる、通信チャネルの一部を全無線通信端末で利用可能とし、１つの回線を同時に複数の無線通信端末で受信する、放送系のサービスである。このサービスを利用することにより、それぞれの無線基地局はエリア内の無線通信端末に向けて共通情報を流すことが可能となる。また、無線通信端末それぞれが個別の回線を確立する必要がないため、ニュースや映画など大容量のデータ配信が可能となり、無線回線の利用効率を向上させることができる。また基地局単位での制御が可能なため、一般的な広域放送サービスとは異なり、より地域に関連した情報の配信が可能となるものである。
【０００４】
ここで、ＢＣＭＣＳの情報配信手順を簡単に説明する。無線基地局は提供可能なサービス情報を報知情報として自己の無線エリア内の全無線通信端末へと報知する。無線通信端末はこの情報を受信し、受信を希望するサービスを特定する識別情報を、無線基地局に対して登録動作を行うことで受信を開始することができる。無線基地局は、無線通信端末からの登録情報を受信し、無線通信端末において受信を希望するサービスが現時点で提供されていない場合はサービス提供（情報コンテンツの提供）を開始する。また、ＢＣＭＣＳは、無線資源の有効利用の観点から、利用者がいない場合は、情報コンテンツの提供を停止し、ＢＣＭＣＳとして利用していた無線資源を開放し、その部分を一般チャネルで再利用することを行っている。
【特許文献１】特開２００３−１８９３４６号公報
【発明の開示】
【発明が解決しようとする課題】
【０００５】
このようなＢＣＭＣＳを利用する無線通信端末がエリア内を移動し、他のサービスエリア（例えばセルやセクタ）ヘハンドオフする場合、無線通信回線を維持することは可能であるが、ブロードキャストサービスが提供されているかどうかは、現在接続中でサービスを受けている無線基地局からは通知されないため、ハンドオフ先の無線基地局においてどのようなサービスを提供しているかなどのサービス状態を知ることができないという問題がある。このため、ＢＣＭＣＳにより提供されているサービスを維持することができない状態が発生してしまうという問題がある。
【０００６】
本発明は、このような事情に鑑みてなされたもので、ハンドオフ発生時においてサービスを断絶させることなくサービス提供を続行させることができる無線通信端末を提供することを目的とする。
【課題を解決するための手段】
【０００７】
本発明は、ブロードキャスト／マルチキャスト・サービスのコンテンツを要求する要求手段と、前記要求手段が要求したコンテンツの情報を記憶する記憶手段と、ハンドオフが実行されると、ハンドオフ先の基地局に対して前記記憶手段が記憶しているコンテンツの情報に基づくコンテンツを要求するように制御する制御手段とを備えたことを特徴とする。
【０００８】
本発明は、前記制御手段は、ハンドオフ先の基地局から前記記憶手段が記憶しているコンテンツの情報に一致するコンテンツ識別情報を取得して、該取得したコンテンツ識別情報によりコンテンツを要求するように制御することを特徴とする。
【０００９】
本発明は、前記記憶手段は、ハンドオフ前の基地局から取得して前記要求手段が要求したコンテンツのコンテンツ識別情報を記憶し、前記制御手段は、ハンドオフが実行されると、ハンドオフ先の基地局に対して前記記憶手段が記憶しているコンテンツ識別情報によりコンテンツを要求するように制御することを特徴とする。
【００１０】
本発明は、前記制御手段は、ハンドオフ先の基地局に対して前記記憶手段が記憶しているコンテンツ識別情報によりコンテンツを要求した後、当該コンテンツ識別情報が前記ハンドオフ先の基地局において有効でない場合、前記ハンドオフ先の基地局から前記記憶手段が記憶しているコンテンツの情報に一致するコンテンツ識別情報を取得して、該取得したコンテンツ識別情報によりコンテンツを要求するように制御することを特徴とする。
【発明の効果】
【００１１】
本発明によれば、ハンドオフ発生時においてサービスを断絶させることなくサービス提供を続行させることができるという効果が得られる。
【発明を実施するための最良の形態】
【００１２】
＜第１実施形態＞
以下、図面を参照して、本発明の第１の実施形態による無線通信端末を説明する。図１は本実施形態の構成を示すブロック図である。この図において、符号１は、無線通信端末の動作を統括して制御する制御部である。符号２は、無線基地局との間で無線通信を確立し、情報の送受信を行う送受信部である。符号３は、ダイヤルキー、ファンクションキー等から構成するキー入力部である。符号４は、液晶のディスプレイ等から構成する表示部である。符号５は、送受信部２を介して受信した情報やキー入力部２から入力された情報を記憶する記憶部である。
【００１３】
符号１１は、ユーザがキー入力部３を操作して入力した情報を読み取るユーザ入力取得部である。符号１２は、送受信部２を介して、コンテンツを識別する識別情報を無線基地局に対して送信し、ブロードキャストコンテンツ（ストリーム、フローなど）の配信を要求するブロードキャストコンテンツ要求部である。符号１３は、送受信部２において受信された電波強度測定用信号に基づいて実行されるハンドオフが発生したか否かを検出するハンドオフ検出部である。符号１４は、送受信部２を介して、無線基地局が放送するコンテンツを識別する識別情報を含む番組情報を受信する番組表取得部である。符号１５は、送受信部２を介して、無線基地局が放送するブロードキャストコンテンツを受信するブロードキャストコンテンツ情報取得部である。符号１６は、ハンドオフ前に受信していたブロードキャストコンテンツとハンドオフ後に受信しているブロードキャストコンテンツを比較して、同一のブロードキャストコンテンツであるか否かを判定するブロードキャストコンテンツ情報比較部である。符号１７は、受信したブロードキャストコンテンツ及び番組表の情報を表示部４へ表示するコンテンツ情報表示部である。
【００１４】
符号５１は、ユーザ入力部取得部１１が読み込んだユーザ入力情報を記憶するユーザ入力記憶部である。符号５２は、番組表取得部１４が取得した番組表の情報を記憶する番組表記憶部である。符号５３は、ブロードキャストコンテンツ情報取得部が取得したブロードキャストコンテンツを記憶するブロードキャストコンテンツ情報記憶部である。
【００１５】
次に、図２を参照して、図１に示す無線通信端末がブロードキャストコンテンツを受信する動作を説明する。ここでは、一例として、無線通信端末が無線基地局Ａから無線基地局Ｂへハンドオフする場合の動作を説明する。まず、無線基地局Ａは、自己の通信エリア内にブロードキャスト報知情報Ａ（Broadcast Overhead Message）と番組表情報Ａを報知する（ステップＳ１０１、Ｓ１０２）。このブロードキャスト報知情報Ａには、コンテンツを一意に識別することが可能なProgramIDとコンテンツの属性（データレート、画面サイズ、音質、コーデック種類等）を特定するFlowIDとが関係付けられた情報が含まれている。また、番組表情報Ａは、放送するコンテンツ毎の放送開始時刻の情報が含まれている。
【００１６】
番組表取得部１４は、送受信部２を介して、無線基地局Ａから報知されたブロードキャスト報知情報Ａと番組表情報Ａを受信し、受信したブロードキャスト報知情報Ａと番組表情報Ａを番組表記憶部５２へ記憶する。コンテンツ情報表示部１７は、番組表記憶部５２に記憶された番組表情報Ａを読み出して、表示部４へ表示する。これにより、表示部４には、無線基地局Ａから放送されるコンテンツ毎の放送開始時刻からなる番組表が表示されることになる。番組表には、ユーザが所望のコンテンツを選択するために、各コンテンツ名が付与されて表示される。ユーザは、表示部４に表示された番組表を見ながらキー入力部３を操作して、所望のコンテンツを選択してする。ユーザ入力取得部１１は、キー入力部３における操作内容を読み取り、ユーザが選択したコンテンツをユーザ入力部記憶部５１へコンテンツ情報として記憶する。
【００１７】
次に、ブロードキャストコンテンツ要求部１２は、ユーザ入力記憶部５１に記憶されているコンテンツ情報を読み出し、番組表記憶部５２に記憶されている番組表情報Ａを参照して、ユーザが選択したコンテンツを特定する。続いて、ブロードキャストコンテンツ要求部１２は、番組表記憶部５２に記憶されているブロードキャスト報知情報Ａを参照して、特定したコンテンツのProgramID（以下、ＰＩＤａという）を取得する。また、ブロードキャストコンテンツ要求部１２は、無線通信端末内に予め記憶されている無線通信端末固有の端末属性（データレート、画面サイズ、音質、コーデック種類等）を読み出して、この端末属性に合致するコンテンツ属性を選択し、選択したコンテンツ属性を特定するためのFlowID（以下、ＦＩＤａという）を取得する（Ｆ１０１）。なお、取得したＰＩＤとＦＩＤは記憶部５に記憶される。
【００１８】
次に、ブロードキャストコンテンツ要求部１２は、取得したＰＩＤａとＦＩＤａを含むコンテンツ放送要求（BCMCS Flow Registration Message）を無線基地局Ａに対して送信し、放送を希望するＰＩＤａとＦＩＤａを無線基地局Ａに登録する（ステップＳ１０３）。このコンテンツ放送要求を受信した無線基地局Ａは、要求されたコンテンツの放送が既に実行されているか否かを判定し、放送が実施されていなければ、放送要求に含まれているＰＩＤａとＦＩＤａで特定されるコンテンツの放送を開始する。一方、既に放送が実行されていた場合は、コンテンツの放送を続行する。
【００１９】
ブロードキャストコンテンツ情報取得部１５は、送受信部２を介して、無線基地局Ａから放送されるブロードキャストコンテンツデータを受信し、受信したブロードキャストコンテンツデータをブロードキャストコンテンツ情報記憶部５３へ記憶する（ステップＳ１０４）。コンテンツ情報表示部１７は、ブロードキャストコンテンツ情報記憶部５３に記憶されているブロードキャストコンテンツを順に読み出して、表示部４へ表示する。この動作によって、ユーザが希望するコンテンツの放送が実行され、例えば、映画のコンテンツ等が表示部４に表示されることになる。
【００２０】
無線基地局Ａから放送されたブロードキャストコンテンツデータを受信中に、無線通信端末が通信エリア内を移動し、ハンドオフ条件が成立すると（Ｆ１０２）、無線通信端末は、無線基地局Ａから無線基地局Ｂへのハンドオフ処理を実行する（ステップＳ１０５、Ｓ１０６）。ハンドオフ検出部１３は、このハンドオフ動作を検出すると、番組表取得部１４に対して、新たな番組表の取得を指示する。このとき、無線基地局Ｂは、自己の通信エリア内にブロードキャスト報知情報Ｂと番組表情報Ｂを報知している（ステップＳ１０７、Ｓ１０８）。番組表取得部１４は、ハンドオフ検出部１３から新たな番組表の取得の指示を受けると、送受信部２を介して、無線基地局Ｂから報知されているブロードキャスト報知情報Ｂと番組表情報Ｂを受信し、受信したブロードキャスト報知情報Ｂと番組表情報Ｂを番組表記憶部５２へ記憶する。これにより、無線基地局Ｂから放送されるコンテンツ毎の放送開始時刻からなる番組表をしることができる。が表示されることになる。ここで、ユーザは、表示部４に表示された番組表を見ながらキー入力部３を操作して、所望のコンテンツの順番号を選択して入力する。ユーザ入力取得部１１は、キー入力部３における操作内容を読み取り、ユーザが選択したコンテンツの順番号をユーザ入力部記憶部５１へ記憶する。
【００２１】
次に、ブロードキャストコンテンツ要求部１２は、ハンドオフ前に選択されたユーザ入力記憶部５１に記憶されているコンテンツ情報を読み出し、番組表記憶部５２に記憶されている番組表情報Ｂを参照して、記憶しておいたコンテンツを特定する。続いて、ブロードキャストコンテンツ要求部１２は、番組表記憶部５２に記憶されているブロードキャスト報知情報Ｂを参照して、特定したコンテンツのProgramID（以下、ＰＩＤｂという）を取得する。また、ブロードキャストコンテンツ要求部１２は、無線通信端末内に予め記憶されている無線通信端末固有の端末属性（データレート、画面サイズ、音質、コーデック種類等）を読み出して、この端末属性に合致するコンテンツ属性を選択し、選択したコンテンツ属性を特定するためのFlowID（以下、ＦＩＤｂという）を取得する（Ｆ１０３）。
【００２２】
次に、ブロードキャストコンテンツ要求部１２は、取得したＰＩＤｂとＦＩＤｂを含むコンテンツ放送要求を無線基地局Ｂに対して送信し、放送を希望するＰＩＤｂとＦＩＤｂを無線基地局Ｂに登録する（ステップＳ１０９）。なお、取得したＰＩＤとＦＩＤは記憶部５に記憶される。このコンテンツ放送要求を受信した無線基地局Ｂは、要求されたコンテンツの放送が既に実行されているか否かを判定し、放送が実施されていなければ、放送要求に含まれているＰＩＤｂとＦＩＤｂで特定されるコンテンツの放送を開始する。一方、既に放送が実行されていた場合は、コンテンツの放送を続行する。
【００２３】
ブロードキャストコンテンツ情報取得部１５は、送受信部２を介して、無線基地局Ｂから放送されるブロードキャストコンテンツデータを受信し、受信したブロードキャストコンテンツデータをブロードキャストコンテンツ情報記憶部５３へ記憶する（ステップＳ１１０）。コンテンツ情報表示部１７は、ブロードキャストコンテンツ情報記憶部５３に記憶されているブロードキャストコンテンツを順に読み出して、表示部４へ表示する。この動作によって、ユーザが希望するコンテンツがハンドオフ先である無線基地局Ｂからダウンロードされ、映画のコンテンツ等が表示部４に表示されることになる。
【００２４】
このように、ハンドオフが発生した場合に、放送されている番組表情報をハンドオフ後の無線基地局から受信して、ハンドオフ前に受信していたコンテンツと同じ放送をハンドオフ先の無線基地局に登録するようにしたため、自動的にハンドオフ先においても同じコンテンツデータを受信することができ、ハンドオフ発生によってハンドオフ前に受信していたコンテンツと同じコンテンツデータを受信することができなくなることを防止することができる。
【００２５】
＜第２実施形態＞
次に、図３を参照して、第２の実施形態による無線通信端末を説明する。第２の実施形態は、第１の実施形態による無線通信端末をさらに改善したものである。第２の実施形態による無線通信端末の構成は、図１に示す構成と同様であるので詳細な説明を省略する。第２の実施形態による無線通信端末が、第１の実施形態による無線通信端末と異なる点は、ハンドオフが発生した場合に、ハンドオフ先において改めてブロードキャスト報知情報と番組表情報を受信する前に、ハンドオフ前に特定し、記憶しておいたコンテンツの識別情報（ＰＩＤとＦＩＤ）を使用して、ハンドオフ先の無線基地局に登録する点である。
【００２６】
図３に示す模式図を参照して、ブロードキャストコンテンツデータを無線通信端末に対して放送する動作を説明する。ブロードキャストによって放送されるコンテンツは、各コンテンツに対して識別情報が付与されて、コンテンツサーバ内に蓄積されている。図３に示す例では、Ｃ１〜Ｃ４の識別情報を付与されたコンテンツデータが蓄積されている。コンテンツサーバと無線基地局Ａ−１、Ａ−２、Ｂとの間には、それぞれブロードキャスト報知情報と番組表情報を保持し、コンテンツサーバに蓄積されているコンテンツデータの放送による配信動作を制御するコントローラＡ、Ｂが設けられている。コントローラＡには、無線基地局Ａ−１と無線基地局Ａ−２が接続されており、各々の通信エリア内の無線通信端末に対してコンテンツデータがブロードキャストによって放送される。コントローラＢには、無線基地局Ｂが接続されており、無線基地局Ｂの通信エリア内の無線通信端末に対してコンテンツデータがブロードキャストによって放送される。
【００２７】
図３に示す構成において、無線基地局Ａ−１から報知情報Ａと番組表情報Ａを受信した無線通信端末Ａ及び無線通信端末Ｂが、時刻１１：３０にプログラムＰ２（コンテンツＣ２）の放送を無線基地局Ａ−１に対して要求する。このとき、無線通信端末Ａは、ＰＩＤ（プログラム）が「Ｐ２」、ＦＩＤ（フロー）が「Ｆ２１」であり、無線通信端末Ｂは、ＰＩＤが「Ｐ２」、ＦＩＤが「Ｆ２２」であるとすると、それぞれの無線通信端末Ａ、Ｂは無線基地局Ａ−１からプログラムＰ２に該当するコンテンツＣ２が受信できることになる。
【００２８】
この受信状態が続行中の時刻１２：００に、２台の無線通信端末Ａ、Ｂにおいてハンドオフ条件が成立し、無線基地局Ａ−１から無線基地局Ａ−２へハンドオフ処理が実行された場合、２台の無線通信端末Ａ、Ｂは、ハンドオフ前のＰＩＤとＦＩＤを使用して、再度のプログラムＰ２の放送を無線基地局Ａ−２に対して要求する。この場合、無線基地局Ａ−１と無線基地局Ａ−２は、同一のコントローラＡの指示に基づいてコンテンツデータの放送を行っているため、ハンドオフ前の無線基地局Ａ−１と同一のコンテンツを受信することができる。
【００２９】
このように、ハンドオフが発生した場合に、ハンドオフ先において、新たに無線基地局から番組表情報を受信する前に、ハンドオフ前に取得したコンテンツデータの識別情報（ＰＩＤ、ＦＩＤ）をハンドオフ先の無線基地局に対して自動的に登録するようにしたため、ハンドオフ先の番組表情報を取得する前に、コンテンツデータの受信を開始することができ、コンテンツデータを受信できない時間を第１実施形態に比べてさらに短くすることができる。
【００３０】
＜第３実施形態＞
次に、図３〜図５を参照して、第３の実施形態による無線通信端末を説明する。第３の実施形態は、第２の実施形態による無線通信端末をさらに改善したものである。第３の実施形態による無線通信端末の構成は、図１に示す構成と同様であるので詳細な説明を省略する。第３の実施形態による無線通信端末が、第２の実施形態による無線通信端末と異なる点は、ハンドオフ前に特定したコンテンツ識別情報（ＰＩＤとＦＩＤ）を使用して、ハンドオフ先の無線基地局に登録した場合の後の処理が行われることである。特にこの処理はハンドオフ前後におけるサービスエリアのブロードキャストの放送形態が異なるシステムに有効である。
【００３１】
例えば、図３において、２台の無線通信端末Ａ、Ｂは、無線基地局Ａ−２から放送されたコンテンツデータを受信中の時刻１２：３０に、２台の無線通信端末Ａ、Ｂにおいてハンドオフ条件が成立し、無線基地局Ａ−２から無線基地局Ｂへハンドオフが行われた場合、２台の無線通信端末Ａ、Ｂは、ハンドオフ前のＰＩＤとＦＩＤを使用して、プログラムＰ２の放送を無線基地局Ｂに対して要求すると、無線通信端末Ａは、コンテンツＣ３を受信することになり、無線通信端末Ｂは、該当するコンテンツが存在しないため、コンテンツを受信することができない。これはハンドオフ前後におけるサービスエリアのブロードキャストの放送形態が異なることが理由であり、第３の実施形態ではこれを適切に判断して処理する。
【００３２】
図４を参照して、ハンドオフ前のブローキャストサービスを受ける動作から説明する。
まず、無線基地局Ａは、自己の通信エリア内にブロードキャスト報知情報Ａと番組表情報Ａを報知する（ステップＳ２０１、Ｓ２０２）。このブロードキャスト報知情報Ａには、コンテンツを一意に識別することが可能なProgramIDとコンテンツの属性（データレート、画面サイズ、音質、コーデック種類等）を特定するFlowIDとが関係付けられた情報が含まれている。また、番組表情報Ａは、放送するコンテンツ毎の放送開始時刻の情報が含まれている。
【００３３】
番組表取得部１４は、送受信部２を介して、無線基地局Ａから報知されたブロードキャスト報知情報Ａと番組表情報Ａを受信し、受信したブロードキャスト報知情報Ａと番組表情報Ａを番組表記憶部５２へ記憶する。コンテンツ情報表示部１７は、番組表記憶部５２に記憶された番組表情報Ａを読み出して、表示部４へ表示する。これにより、表示部４には、無線基地局Ａから放送されるコンテンツ毎の放送開始時刻からなる番組表が表示されることになる。番組表には、ユーザが所望のコンテンツを選択するために、各コンテンツ名が付与されて表示される。ユーザは、表示部４に表示された番組表を見ながらキー入力部３を操作して、所望のコンテンツを選択する。ユーザ入力取得部１１は、キー入力部３における操作内容を読み取り、ユーザが選択したコンテンツをユーザ入力部記憶部５１へコンテンツ情報として記憶する。
【００３４】
次に、ブロードキャストコンテンツ要求部１２は、ユーザ入力記憶部５１に記憶されているコンテンツ情報を読み出し、番組表記憶部５２に記憶されている番組表情報Ａを参照して、ユーザが選択したコンテンツを特定する。続いて、ブロードキャストコンテンツ要求部１２は、番組表記憶部５２に記憶されているブロードキャスト報知情報Ａを参照して、特定したコンテンツのProgramID（以下、ＰＩＤａという）を取得する。また、ブロードキャストコンテンツ要求部１２は、無線通信端末内に予め記憶されている無線通信端末固有の端末属性（データレート、画面サイズ、音質、コーデック種類等）を読み出して、この端末属性に合致するコンテンツ属性を選択し、選択したコンテンツ属性を特定するためのFlowID（以下、ＦＩＤａという）を取得して（Ｆ２０１）、このＰＩＤａとＦＩＤａを内部に保持する。
【００３５】
次に、ブロードキャストコンテンツ要求部１２は、取得したＰＩＤａとＦＩＤａを含むコンテンツ放送要求を無線基地局Ａに対して送信し、放送を希望するＰＩＤａとＦＩＤａを無線基地局Ａに登録する（ステップＳ２０３）。このコンテンツ放送要求を受信した無線基地局Ａは、要求されたコンテンツの放送が既に実行されているか否かを判定し、放送が実施されていなければ、放送要求に含まれているＰＩＤａとＦＩＤａで特定されるコンテンツの放送を開始する。一方、既に放送が実行されていた場合は、コンテンツの放送を続行する。
【００３６】
ブロードキャストコンテンツ情報取得部１５は、送受信部２を介して、無線基地局Ａから放送されるブロードキャストコンテンツデータを受信し、受信したブロードキャストコンテンツデータをブロードキャストコンテンツ情報記憶部５３へ記憶する（ステップＳ２０４）。コンテンツ情報表示部１７は、ブロードキャストコンテンツ情報記憶部５３に記憶されているブロードキャストコンテンツを順に読み出して、表示部４へ表示する。この動作によって、ユーザが希望するコンテンツのダウンロードが実行され、例えば、映画のコンテンツ等が表示部４に表示されることになる。
【００３７】
無線基地局Ａから放送されたブロードキャストコンテンツデータを受信中に、無線通信端末が通信エリア内を移動し、ハンドオフ条件が成立すると（Ｆ２０２）、無線通信端末は、無線基地局Ａから無線基地局Ｂへのハンドオフ処理を実行する（ステップＳ２０５、Ｓ２０６）。ハンドオフ検出部１３は、このハンドオフ動作を検出すると、ブロードキャストコンテンツ要求部１２に対して、放送要求を送出する指示を出す。ブロードキャストコンテンツ要求部１２は、内部に保持しているＰＩＤａとＦＩＤａを含むコンテンツ放送要求を無線基地局Ａに対して送信し、放送を希望するＰＩＤａとＦＩＤａを無線基地局Ｂに登録する（ステップＳ２０７）。
【００３８】
次に、ブロードキャストコンテンツ情報比較部１６は、内部のＦｌａｇ１とＦｌａｇ２をともにＯＦＦに設定し（Ｆ２０３）、Ｆｌａｇ１とＦｌａｇ２がともにＯＮになるまでＦ２０４〜Ｆ２１２のループ処理を実行する。Ｆｌａｇ１は、無線基地局Ｂからブロードキャストコンテンツデータを受信した場合（Ｆ２０５、Ｆ２０６）、または無線基地局Ｂから送信拒否メッセージを受信した場合（Ｆ２０７、Ｆ２０８）、またはタイムアウトが発生した場合（Ｆ２０９、Ｆ２１０）にＯＮになる。Ｆｌａｇ２は、ハンドオフ先の無線基地局Ｂからブロードキャスト報知情報Ｂと番組表情報Ｂを受信した場合（Ｆ２１１、Ｆ２１２）にＯＮになる。すなわち、ブロードキャストコンテンツ情報比較部１６は、（１）タイムアウトになる、ブロードキャストコンテンツデータが受信する、または送信拒否メッセージを受信する、これらの条件のうち少なくとも１つと、（２）ハンドオフ先の無線基地局Ｂからブロードキャスト報知情報Ｂと番組表情報Ｂを受信するまでの（１）と（２）の２つの条件を満たすまでループ処理を続行する。
【００３９】
一方、無線基地局Ｂは、無線通信端末から登録されたＰＩＤａとＦＩＤａが有効であるか否かを判定する（Ｆ２２１）。無線基地局Ｂは、登録されたＰＩＤａとＦＩＤａが有効であれば、要求されたコンテンツの放送が既に実行されているか否かを判定し、放送が実施されていなければ、放送要求に含まれているＰＩＤａとＦＩＤａで特定されるコンテンツの放送を開始し、既に放送が実行されていた場合は、コンテンツの放送を続行する（ステップＳ２０８）。一方、無線通信端末から登録されたＰＩＤａとＦＩＤａが無効であれば無線通信端末に対して送信拒否メッセージ（Broadcast Reject Message、Broadcast Reset Message）を報知する（ステップＳ２０９）。なお、送信拒否メッセージは報知しなくてもよい。そして、無線基地局Ｂは、自己の通信エリア内にブロードキャスト報知情報Ｂと番組表情報Ｂを報知する（ステップＳ２１０、Ｓ２１１）。このブロードキャスト報知情報Ｂには、コンテンツを一意に識別することが可能なProgramIDとコンテンツの属性（データレート、画面サイズ、音質、コーデック種類等）を特定するFlowIDとが関係付けられた情報が含まれている。また、番組表情報Ｂは、放送するコンテンツ毎の放送開始時刻の情報が含まれている。
【００４０】
次に、図５に示すように、ハンドオフが実行され、コンテンツ要求を行った後、ブロードキャストコンテンツ情報比較部１６は、Ｆ２０４のループ終了条件（Ｆｌａｇ１とＦｌａｇ２がともにＯＮになる）を満たした場合、続行していたループ処理を終了し、ハンドオフ先の無線基地局（ここでは無線基地局Ｂ）から受信した番組表情報Ｂ中に、ユーザが希望する番組（ハンドオフ前に受信していたコンテンツデータと同じもの）の放送があるか否かを検索する（Ｆ２１３）。この検索の結果、ユーザが希望する番組が見つからなかった場合、ブロードキャストコンテンツ情報取得部１５は、現時点でブロードキャストコンテンツデータを受信中であるか否かを判定し（Ｆ２１８）、受信中であれば、ブロードキャストコンテンツデータの受信を中止する（Ｆ２１９）。そして、制御部１は、表示部４にコンテンツの受信ができないことを示すメッセージを表示する（Ｆ２２０）。
【００４１】
一方、番組表情報Ｂ内にユーザが希望する番組（ハンドオフ前に受信していたコンテンツデータと同じもの）の放送がある場合、ブロードキャストコンテンツ情報比較部１６は、番組表記憶部５２に記憶されている番組表情報Ｂを参照して、ユーザが希望するコンテンツのProgramID（以下、ＰＩＤｂという）を取得する。また、ブロードキャストコンテンツ情報比較部１６は、無線通信端末内に予め記憶されている無線通信端末固有の端末属性を読み出して、この端末属性に合致するコンテンツ属性を選択し、選択したコンテンツ属性を特定するためのFlowID（以下、ＦＩＤｂという）を取得して（Ｆ２１４）内部に保持する。続いて、ブロードキャストコンテンツ情報比較部１６は、ハンドオフ前に取得したＰＩＤａ及びＦＩＤａと、新たに取得したＰＩＤｂ及びＦＩＤｂとを比較して、同一であるか否かを判定する（Ｆ２１５）。
【００４２】
次に、ブロードキャストコンテンツ情報比較部１６は、ＰＩＤａ＝ＰＩＤｂかつＦＩＤａ＝ＦＩＤｂを満たさなければ、現時点でブロードキャストコンテンツデータを受信中であるか否かを判定し（Ｆ２１５）、受信中であれば、ブロードキャストコンテンツデータの受信を中止して（Ｆ２１６、Ｆ２１７）、ブロードキャストコンテンツ要求部１２に対して、新たなコンテンツ要求の送出を指示する。この指示を受けて、ブロードキャストコンテンツ要求部１２は、新たに取得したＰＩＤｂとＦＩＤｂを含むコンテンツ放送要求を無線基地局Ｂに対して送信し、放送を希望するＰＩＤｂとＦＩＤｂを無線基地局Ｂに登録する（ステップＳ２１２）。このコンテンツ放送要求を受信した無線基地局Ｂは、要求されたコンテンツの放送が既に実行されているか否かを判定し、放送が実施されていなければ、放送要求に含まれているＰＩＤｂとＦＩＤｂで特定されるコンテンツの放送を開始する。一方、既に放送が実行されていた場合は、コンテンツの放送を続行する。
【００４３】
ブロードキャストコンテンツ情報取得部１５は、送受信部２を介して、無線基地局Ｂから放送されるブロードキャストコンテンツデータを受信し、受信したブロードキャストコンテンツデータをブロードキャストコンテンツ情報記憶部５３へ記憶する（ステップＳ２１３）。コンテンツ情報表示部１７は、ブロードキャストコンテンツ情報記憶部５３に記憶されているブロードキャストコンテンツを順に読み出して、表示部４へ表示する。この動作によって、ユーザが希望するコンテンツの放送が実行され、例えば、映画のコンテンツ等が表示部４に表示されることになる。
【００４４】
一方、Ｆ２１５において、ＰＩＤａ＝ＰＩＤｂかつＦＩＤａ＝ＦＩＤｂを満たしていた場合、ブロードキャストコンテンツ情報取得部１５は、現時点で受信中であるブロードキャストコンテンツデータの受信を続行し（ステップＳ２１３）、受信したブロードキャストコンテンツデータをブロードキャストコンテンツデータ情報記憶部５３へ記憶する動作を続行する。
【００４５】
このように、ハンドオフ前に特定したＰＩＤとＦＩＤを使用して、ハンドオフ先の無線基地局に登録した場合に、状況に応じて、ブロードキャストコンテンツデータ受信動作を続行したり、受信したブロードキャストコンテンツデータがハンドオフ前に受信していたものと異なる場合は、新たに放送要求を送出したりして、ハンドオフ前と同じコンテンツデータを受信する。また、ハンドオフ前と同じコンテンツデータを受信することができない場合は、受信できない旨のメッセージを表示するようにしたため、ハンドオフ先において適切なブロードキャストデータに対する処理を実行することができる。
【００４６】
なお、前述した第１〜第３の実施形態において、ブロードキャストサービスによって無線基地局の通信エリア内の全無線通信端末に対してコンテンツデータを放送する例を説明したが、無線基地局の通信エリア内の特定の無線通信端末に対してのみコンテンツデータを放送するマルチキャストサービスの場合も前述した動作と同様の動作によって実現可能である。
【００４７】
なお、本発明の無線通信端末は、移動通信を使用した携帯電話機や移動通信機能を有した携帯情報端末（ＰＤＡ）、モバイル端末、カーナビ装置などを含むものである。
【００４８】
なお、図１における処理部の機能を実現するためのプログラムをコンピュータ読み取り可能な記録媒体に記録して、この記録媒体に記録されたプログラムをコンピュータシステムに読み込ませ、実行することによりブロードキャストサービス及びマルチキャストサービスの処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００５０】
【図１】本発明の実施形態による無線通信端末の構成を示すブロック図である。
【図２】第１の実施形態による無線通信端末の動作を示すシーケンス図である。
【図３】第２の実施形態による無線通信端末の動作を示す模式図である。
【図４】第３の実施形態による無線通信端末の動作を示すシーケンス図である。
【図５】第３の実施形態による無線通信端末の動作を示すシーケンス図である。
【符号の説明】
【００５１】
１・・・制御部、１１・・・ユーザ入力取得部、１２・・・ブロードキャストコンテンツ要求部、１３・・・ハンドオフ検出部、１４・・・番組表取得部、１５・・・ブロードキャストコンテンツ情報取得部、１６・・・ブロードキャストコンテンツ情報比較部、１７・・・コンテンツ情報表示部、２・・・送受信部、３・・・キー入力部、４・・・表示部、５・・・記憶部、５１・・・ユーザ入力記憶部、５２・・・番組表記憶部、５３・・・ブロードキャストコンテンツ情報記憶部
【図１】
2006339820.tif 000003
【図２】
2006339820.tif 000004
【図３】
2006339820.tif 000005
【図４】
2006339820.tif 000006
【図５】
2006339820.tif 000007
【手続補正書】
【提出日】平成17年10月5日(2005.10.5)
【手続補正１】
【補正対象書類名】明細書
【補正対象項目名】００２０
【補正方法】変更
【補正の内容】
【００２０】
無線基地局Ａから放送されたブロードキャストコンテンツデータを受信中に、無線通信端末が通信エリア内を移動し、ハンドオフ条件が成立すると（Ｆ１０２）、無線通信端末は、無線基地局Ａから無線基地局Ｂへのハンドオフ処理を実行する（ステップＳ１０５、Ｓ１０６）。ハンドオフ検出部１３は、このハンドオフ動作を検出すると、番組表取得部１４に対して、新たな番組表の取得を指示する。このとき、無線基地局Ｂは、自己の通信エリア内にブロードキャスト報知情報Ｂと番組表情報Ｂを報知している（ステップＳ１０７、Ｓ１０８）。番組表取得部１４は、ハンドオフ検出部１３から新たな番組表の取得の指示を受けると、送受信部２を介して、無線基地局Ｂから報知されているブロードキャスト報知情報Ｂと番組表情報Ｂを受信し、受信したブロードキャスト報知情報Ｂと番組表情報Ｂを番組表記憶部５２へ記憶する。これにより、無線基地局Ｂから放送されるコンテンツ毎の放送開始時刻からなる番組表を知ることが出来る。